(57)【要約】【課題】情報処理装置へのユーザ認証に用いられた情報取得対象物が計測器である場合に、計測器から計測結果を取得可能な仕組みを提供すること。【解決手段】記憶媒体、又は計測器から識別情報を取得しユーザの認証を行うことで、情報処理装置の使用を許可し、更に、前記識別情報を取得したのが記憶媒体であるか計測器であるかを判定し、計測器である場合には、更に、計測器から計測器によるユーザの計測結果を取得する。【選択図】図４
2020009477.tif 000002
【特許請求の範囲】
【請求項１】
ユーザを識別するための識別情報を記憶した情報取得対象物から当該識別情報を取得する取得手段を備える情報処理装置であって、
前記取得手段で取得した前記識別情報に従って前記ユーザの認証を行う認証手段と、
前記認証手段により前記ユーザが認証された場合に前記情報処理装置の使用を許可する許可手段と、
前記取得手段により前記識別情報を取得した前記情報取得対象物が、ユーザの身体に係るデータを計測する計測器であるか、ユーザの身体に係るデータを計測しない記憶媒体であるかを判定する判定手段と、
を備え、
前記許可手段により、前記情報処理装置の使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする情報処理装置。
【請求項２】
前記許可手段により、前記情報処理装置の使用を許可され、前記判定手段により、前記取得手段により前記識別情報を取得した前記情報取得対象物が前記記憶媒体であると判定された場合には、前記ユーザの身体に係るデータを取得するように制御しないことを特徴とする請求項１に記載の情報処理装置。
【請求項３】
前記取得手段により、前記計測器による前記ユーザの身体に係るデータを前記識別情報とあわせて取得した場合に、当該識別情報によって識別されるユーザの情報と、当該ユーザの身体に係るデータとを紐付けて登録する登録手段を更に備えることを特徴とする請求項１または２に記載の情報処理装置。
【請求項４】
前記登録手段で登録された計測結果を出力する出力手段を備えることを特徴とする請求項３に記載の情報処理装置。
【請求項５】
前記出力手段は、前記登録手段で登録された計測結果を前記情報処理装置の表示部に表示することを特徴とする請求項４に記載の情報処理装置。
【請求項６】
前記出力手段は、前記登録手段で登録された計測結果を印刷するための印刷ジョブを生成することを特徴とする請求項４に記載の情報処理装置。
【請求項７】
前記登録手段で登録された計測結果を前記出力手段により前記情報処理装置の表示部に表示した場合に、当該出力手段で生成した当該計測結果の印刷ジョブを削除する削除手段を備えることを特徴とする請求項６に記載の情報処理装置。
【請求項８】
前記取得手段で前記記憶媒体から前記識別情報を取得した場合には、所定の期間内に、前記取得手段で前記計測器から計測結果を取得しているか否かを判定する取得判定手段と、
前記取得判定手段により、所定の期間内に、前記取得手段で前記計測器から計測結果を取得していないと判定された場合に、前記取得手段で前記計測器から計測結果を取得するべく通知する通知手段と、
を更に備えることを特徴とする請求項１乃至７の何れか１項に記載の情報処理装置。
【請求項９】
前記取得判定手段により、所定の期間内に、前記取得手段で前記計測器から計測結果を取得していないと判定された場合に、所定の期間内に前記取得手段で前記計測器から計測結果を取得していない旨のメッセージを送信する送信先の電子メールアドレスを記憶する記憶手段と、
前記取得判定手段により、所定の期間内に、前記取得手段で前記計測器から計測結果を取得していないと判定された場合に、前記記憶手段に記憶される電子メールアドレスに対する、所定の期間内に前記取得手段で前記計測器から計測結果を取得していない旨のメッセージを生成する生成手段とを備え、
前記通知手段は、前記生成手段で生成したメッセージを前記電子メールアドレスに対して送信することを特徴とする請求項８に記載の情報処理装置。
【請求項１０】
ユーザを識別するための識別情報を記憶した情報取得対象物から当該識別情報を取得する取得手段を備える情報処理システムであって、
前記取得手段で取得した前記識別情報に従って前記ユーザの認証を行う認証手段と、
前記認証手段により前記ユーザが認証された場合に前記情報処理システムの使用を許可する許可手段と、
前記取得手段により前記識別情報を取得した前記情報取得対象物が、ユーザの身体に係るデータを計測する計測器であるか、ユーザの身体に係るデータを計測しない記憶媒体であるかを判定する判定手段と
を備え、
前記許可手段により、前記情報処理システムの使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする情報処理システム。
【請求項１１】
ユーザを識別するための識別情報を記憶した情報取得対象物から当該識別情報を取得する取得手段を備える情報処理装置の制御方法であって、
前記情報処理装置の認証手段が、前記取得手段で取得した前記識別情報に従って前記ユーザの認証を行う認証工程と、
前記情報処理装置の許可手段が、前記認証工程で前記ユーザが認証された場合に前記情報処理装置の使用を許可する許可工程と、
前記情報処理装置の判定手段が、前記取得手段により前記識別情報を取得した前記情報取得対象物が、ユーザの身体に係るデータを計測する計測器であるか、ユーザの身体に係るデータを計測しない記憶媒体であるかを判定する判定工程と、
前記許可工程で、前記情報処理装置の使用を許可され、前記判定工程で、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする情報処理装置の制御方法。
【請求項１２】
ユーザを識別するための識別情報を記憶した情報取得対象物から当該識別情報を取得する取得手段を備える、情報処理装置により読み取り実行されるプログラムであって、
前記情報処理装置を、
前記取得手段で取得した前記識別情報に従って前記ユーザの認証を行う認証手段と、
前記認証手段により前記ユーザが認証された場合に前記情報処理装置の使用を許可する許可手段と、
前記取得手段により前記識別情報を取得した前記情報取得対象物が、ユーザの身体に係るデータを計測する計測器であるか、ユーザの身体に係るデータを計測しない記憶媒体であるかを判定する判定手段として機能させ、
前記許可手段により、前記情報処理装置の使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とするプログラム。
【請求項１３】
ユーザを識別するための識別情報を記憶した情報取得対象物から当該識別情報を取得する取得手段を備える情報処理システムの制御方法であって、
前記情報処理システムの認証手段が、前記取得手段で取得した前記識別情報に従って前記ユーザの認証を行う認証工程と、
前記情報処理システムの許可手段が、前記認証工程で前記ユーザが認証された場合に前記情報処理システムの使用を許可する許可工程と、
前記情報処理システムの判定手段が、前記取得手段により前記識別情報を取得した前記情報取得対象物が、ユーザの身体に係るデータを計測する計測器であるか、ユーザの身体に係るデータを計測しない記憶媒体であるかを判定する判定工程と、
前記許可工程で、前記情報処理システムの使用を許可され、前記判定工程で、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする情報処理システムの制御方法。
【請求項１４】
ユーザを識別するための識別情報を記憶した情報取得対象物から当該識別情報を取得する取得手段を備える、情報処理システムにより読み取り実行されるプログラムであって、
前記情報処理システムを、
前記取得手段で取得した前記識別情報に従って前記ユーザの認証を行う認証手段と、
前記認証手段により前記ユーザが認証された場合に前記情報処理システムの使用を許可する許可手段と、
前記取得手段により前記識別情報を取得した前記情報取得対象物が、ユーザの身体に係るデータを計測する計測器であるか、ユーザの身体に係るデータを計測しない記憶媒体であるかを判定する判定手段として機能させ、
前記許可手段により、前記情報処理システムの使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とするプログラム。
【発明の詳細な説明】
【技術分野】
【０００１】
本発明は、情報処理システム、情報処理装置、情報処理システムの制御方法、情報処理装置の制御方法、およびプログラムに関し、特に、情報処理装置へのユーザ認証に用いられた情報取得対象物が計測器である場合に、計測器から計測結果を取得可能な仕組みに関する。
【背景技術】
【０００２】
企業では、社員の健康管理のため、歩数計や血圧計等の計測器を社員に配布し、計測器で計測した計測結果を、所定の端末に取り込み、データベースで管理することが行われている。
【０００３】
特許文献１には、認証機器により画像形成装置（プリンタ）への認証処理を行った後に、無線通信機能つきの歩数計、ヘルスメータ、体組成計、血圧計等の計測器を用いて測定したバイタルデータ（健康データ）を、画像形成装置に取り込んで画像形成装置内のデータベースに蓄積し、社員の健康管理を支援する健康管理システムが記載されている。
【先行技術文献】
【特許文献】
【０００４】
【特許文献１】特開２０１３−２１８５６１号公報
【発明の概要】
【発明が解決しようとする課題】
【０００５】
ところで、従来、セキュリティ確保のために、画像形成装置への認証機能付きのＩＣカードにより画像形成装置への認証を行わないと画像形成装置を使用できないという仕組みがあるが、近年、ＩＣカードに認証機能を持たせつつ、計測器にも画像形成装置への認証機能を持たせたいという要望がある。
【０００６】
計測器に画像形成装置への認証機能を持たせた場合、計測器とＩＣカードの両方で認証を行うことを想定していない従来の画像形成装置は、計測器による認証処理の場合であっても、従来どおり、認証情報のみを取得して、計測結果を取得しない恐れがあった。
【０００７】
特許文献１は、認証機器により認証した後に、計測器による計測結果を取り込む仕組みであるため、特許文献１に記載の技術では、上記課題は依然として解決できない可能性があった。
【０００８】
本発明は、情報処理装置へのユーザ認証に用いられた情報取得対象物が計測器である場合に、計測器から計測結果を取得可能な仕組みを提供することである。
【課題を解決するための手段】
【０００９】
本発明は、ユーザを識別するための識別情報を記憶した情報取得対象物から当該識別情報を取得する取得手段を備える情報処理装置であって、前記取得手段で取得した前記識別情報に従って前記ユーザの認証を行う認証手段と、前記認証手段により前記ユーザが認証された場合に前記情報処理装置の使用を許可する許可手段と、前記取得手段により前記識別情報を取得した前記情報取得対象物が、ユーザの身体に係るデータを計測する計測器であるか、ユーザの身体に係るデータを計測しない記憶媒体であるかを判定する判定手段と、を備え、前記許可手段により、前記情報処理装置の使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする。
【００１０】
また、本発明は、ユーザを識別するための識別情報を記憶した情報取得対象物から当該識別情報を取得する取得手段を備える情報処理システムであって、前記取得手段で取得した前記識別情報に従って前記ユーザの認証を行う認証手段と、前記認証手段により前記ユーザが認証された場合に前記情報処理システムの使用を許可する許可手段と、前記取得手段により前記識別情報を取得した前記情報取得対象物が、ユーザの身体に係るデータを計測する計測器であるか、ユーザの身体に係るデータを計測しない記憶媒体であるかを判定する判定手段とを備え、前記許可手段により、前記情報処理システムの使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする。
【００１１】
また、本発明は、ユーザを識別するための識別情報を記憶した情報取得対象物から当該識別情報を取得する取得手段を備える情報処理装置の制御方法であって、前記情報処理装置の認証手段が、前記取得手段で取得した前記識別情報に従って前記ユーザの認証を行う認証工程と、前記情報処理装置の許可手段が、前記認証工程で前記ユーザが認証された場合に前記情報処理装置の使用を許可する許可工程と、前記情報処理装置の判定手段が、前記取得手段により前記識別情報を取得した前記情報取得対象物が、ユーザの身体に係るデータを計測する計測器であるか、ユーザの身体に係るデータを計測しない記憶媒体であるかを判定する判定工程と、前記許可工程で、前記情報処理装置の使用を許可され、前記判定工程で、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする。
【００１２】
また、本発明は、ユーザを識別するための識別情報を記憶した情報取得対象物から当該識別情報を取得する取得手段を備える、情報処理装置により読み取り実行されるプログラムであって、前記情報処理装置を、前記取得手段で取得した前記識別情報に従って前記ユーザの認証を行う認証手段と、前記認証手段により前記ユーザが認証された場合に前記情報処理装置の使用を許可する許可手段と、前記取得手段により前記識別情報を取得した前記情報取得対象物が、ユーザの身体に係るデータを計測する計測器であるか、ユーザの身体に係るデータを計測しない記憶媒体であるかを判定する判定手段として機能させ、前記許可手段により、前記情報処理装置の使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする。
【００１３】
また、本発明は、ユーザを識別するための識別情報を記憶した情報取得対象物から当該識別情報を取得する取得手段を備える情報処理システムの制御方法であって、前記情報処理システムの認証手段が、前記取得手段で取得した前記識別情報に従って前記ユーザの認証を行う認証工程と、前記情報処理システムの許可手段が、前記認証工程で前記ユーザが認証された場合に前記情報処理システムの使用を許可する許可工程と、前記情報処理システムの判定手段が、前記取得手段により前記識別情報を取得した前記情報取得対象物が、ユーザの身体に係るデータを計測する計測器であるか、ユーザの身体に係るデータを計測しない記憶媒体であるかを判定する判定工程と、前記許可工程で、前記情報処理システムの使用を許可され、前記判定工程で、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする。
【００１４】
また、本発明は、ユーザを識別するための識別情報を記憶した情報取得対象物から当該識別情報を取得する取得手段を備える、情報処理システムにより読み取り実行されるプログラムであって、前記情報処理システムを、前記取得手段で取得した前記識別情報に従って前記ユーザの認証を行う認証手段と、前記認証手段により前記ユーザが認証された場合に前記情報処理システムの使用を許可する許可手段と、前記取得手段により前記識別情報を取得した前記情報取得対象物が、ユーザの身体に係るデータを計測する計測器であるか、ユーザの身体に係るデータを計測しない記憶媒体であるかを判定する判定手段として機能させ、前記許可手段により、前記情報処理システムの使用を許可され、前記判定手段により、前記取得手段により前記識別情報を取得した前記情報取得対象物が前記計測器であると判定された場合には、さらに、当該計測器による前記ユーザの身体に係るデータを前記計測器から前記取得手段で取得するように制御することを特徴とする。
【発明の効果】
【００１５】
本発明によると、情報処理装置へのユーザ認証に用いられた情報取得対象物が計測器である場合に、計測器から計測結果を取得することができる。
【図面の簡単な説明】
【００１６】
【図１】本発明に係るプリントシステム（画像形成システム）の構成の一例を示す図である。
【図２】サーバ１０１、クライアント端末１０４等に適用可能な情報処理装置としてのコンピュータのハードウェア構成図。
【図３】本発明の実施形態における、画像形成装置１０２のハードウェア構成の一例を示す図。
【図４】画像形成装置１０２における、画像形成装置１０２が計測器１０３から計測結果を取得する処理を含む画像形成装置１０２の一連の処理の流れを示すフローチャート。
【図５】図４のステップＳ４０３の処理の詳細を示すフローチャート。
【図６】画像形成装置１０２の表示部に表示される画面であって、ユーザ操作に従った画像形成装置１０２へのログイン処理が実行される前に表示される画面の一例を示す図。
【図７】ステップＳ４０８において画像形成装置１０２の表示部に表示されるＴＯＰ画面の一例を示す図。
【図８】ステップＳ４０８において画像形成装置１０２の表示部に表示されるＴＯＰ画面の一例を示す図。
【図９】ステップＳ４１１において画像形成装置１０２の表示部に表示される計測結果画面の一例を示す図。
【図１０】図５のステップＳ５０２で画像形成装置１０２の表示部に表示される画面の一例を示す図。
【図１１】計測器１０３の記憶部１４０３に記憶されるデータテーブルの一例を示す図。
【図１２】画像形成装置のＨＤＤ３０４に記憶される計測結果データベースの一例を示す図。
【図１３】ステップＳ５０９において、画像形成装置１０２から管理者のクライアント端末１０４に送信されるメールの一例を示す図。
【図１４】計測器１０３の機能構成の一例を示す図である。
【図１５】画像形成装置１０２における、画像形成装置１０２が計測器１０３から計測結果を取得する処理を含む画像形成装置１０２の一連の処理の流れを示すフローチャート。
【図１６】画像形成装置１０２における、画像形成装置１０２が計測器１０３から計測結果を取得する処理を含む画像形成装置１０２の一連の処理の流れを示すフローチャート。
【図１７】図１５のステップＳ１５０６の処理の詳細を示すフローチャート。
【図１８】図１６のステップＳ１６０１で画像形成装置１０２の表示部に表示される画面の一例を示す図。
【図１９】認証テーブルの一例を示す図。
【発明を実施するための形態】
【００１７】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つである。
【００１８】
図１は、本発明に係るプリントシステム（画像形成システム、情報処理システム）の構成の一例を示す図である。
【００１９】
図１に示すように、画像形成装置１０２（例えば、プリンタや、プリンタ、スキャナ、コピー、ファクシミリ等の機能を有する複合機）は、ＬＡＮ（Ｌｏｃａｌ  Ａｒｅａ  Ｎｅｔｗｏｒｋ）を介してサーバ１０１や、クライアント端末１０４と通信可能に接続される。
【００２０】
また、画像形成装置１０２には、ＵＳＢ（Ｕｎｉｖｅｒｓａｌ  Ｓｅｒｉａｌ  Ｂｕｓ）ケーブル（図示しない）を介してカードリーダが接続されており、カードリーダは、ＩＣカード（例えば、ソニー（登録商標）社のフェリカ（ＦｅｌｉＣａ）（登録商標））や、ＩＣ認証機能付き計測器（以下、計測器１０３と呼ぶ）がかざされると、ＩＣカードや計測器１０３の内部の情報を読み取り、画像形成装置１０２に通知する。
【００２１】
また、画像形成装置１０２は、当該画像形成装置１０２のＨＤＤに認証テーブルを記憶しており、ＩＣカードやＩＣ認証機能付き計測器から読み取った情報に含まれる識別情報（ユーザＩＤ、やカードＩＤ等）が認証テーブルに含まれている場合には、当該画像形成装置１０２の各機能の使用をユーザに許可する。
【００２２】
画像形成装置１０２は、更に、計測器１０３がカードリーダにかざされると、計測器１０３で測定した健康データを、当該画像形成装置１０２のＨＤＤに記憶される計測結果データベース（後述する図１２）に登録する。
【００２３】
なお、本実施形態では計測器１０３をかざす装置として、画像形成装置を想定しているが、使用するために認証機能を持つ他の媒体をかざす必要がある装置であれば良く、例えば、他の実施形態として、カードリーダの機能が搭載されたＰＣであって、カードリーダにＩＣカードをかざさないと使用できないＰＣなどの情報処理装置であってもよい。
【００２４】
計測器１０３は、ユーザに関する計測を行う機器である。計測器１０３としては、具体的には血圧計、体組成計、歩数計等が挙げられる。血圧計は、ユーザの血圧を測り、健康データの１つとして血圧値を画像形成装置１０２に送信する。体組成計は、ユーザの体重や体脂肪率を測り、計測結果を画像形成装置１０２に送信する。歩数は、ユーザの歩数を測定可能な機器であり、歩数を計測し画像形成装置１０２に送信する。計測器１０３の他の例としては、ユーザの血糖値を測定可能な血糖値計やユーザの体温を測定可能な体温計が挙げられる。
【００２５】
計測器１０３は、ユーザに関する健康データを測定可能な機器であればどのような機器であってもよく、例えば、健康データを測定するためのアプリケーションがインストールされた携帯電話やタブレット端末などであっても良い。ただし、計測器１０３は、上述したＩＣカードと同じ仕組みで、画像形成装置１０２への認証処理を行うことが出来るものとする。
【００２６】
計測器１０３による計測結果は、血圧値、体重、体脂肪率、歩数、その他、体温、脈拍、視力、聴力、身長等、ユーザの身体に関するあらゆる情報を含む。
【００２７】
画像形成装置１０２で管理する計測結果データベースに登録されている情報は、画像形成装置１０２にログインしているユーザであれば、画像形成装置１０２の表示部上で、自身のデータのみを確認できる。
【００２８】
また、クライアント端末１０４から画像形成装置にアクセスすることで、クライアント端末１０４上で、計測結果データベースで管理する情報を閲覧することが出来る。なお、他の実施例として、画像形成装置１０２から、計測結果データベースに登録されている情報を定期的に各ユーザのクライアント端末１０４に送信することで各ユーザに確認させても良い。
【００２９】
上述したように、本発明の実施形態において、画像形成装置１０２は、ＩＣカードだけでなく、計測器１０３によっても当該画像形成装置１０２への認証処理が可能であり、更に、計測器１０３による認証処理の場合、当該計測器１０３による計測結果を取得する必要があるため、本発明では、画像形成装置１０２が識別情報を取得した際に、取得元がＩＣカードか計測器１０３かを判定し、計測器１０３である場合には、当該計測器１０３による計測結果を取得する。
【００３０】
また、上述したように、本発明の実施形態において、画像形成装置１０２は、ＩＣカードと、計測器１０３のいずれでも当該画像形成装置１０２への認証処理が可能であるため、ユーザは、ＩＣカードによる認証のみを行い、計測器１０３による認証処理を行わない可能性がある。
【００３１】
そうすると、計測器１０３による計測結果を画像形成装置１０２は取得できないため、管理者が一般ユーザの健康状態を管理することが出来ない恐れがあるため、本発明では、所定期間一般ユーザが計測器１０３による認証処理を行っていない場合には、画像形成装置１０２の表示部上で警告表示したり、管理者のクライアント端末１０４に警告メールを送信したりする。
【００３２】
クライアント端末１０４は、プリンタドライバがインストールされており、各種アプリケーションで生成した文書データを印刷データに変換して、プリンタドライバに設定されているポート先の画像形成装置１０２に印刷データを送信することが可能である。
【００３３】
また、クライアント端末１０４から画像形成装置１０２にアクセスすることで、画像形成装置１０２で管理する計測結果データベースの情報をクライアント端末１０４上で閲覧することが出来る。ただし、計測結果データベースの情報を全て閲覧できるのは管理者（例えば、課長や部長等の社員を管理する立場にあるユーザ）のみであり、一般ユーザは、自身の計測結果のみを確認することが出来る。管理者は、一般ユーザの計測結果を閲覧して、一般ユーザの健康を管理する。
【００３４】
計測結果データベースを閲覧するユーザが管理者であるか、一般ユーザであるかの判断は、クライアント端末１０４から画像形成装置１０２にアクセスする際に、ユーザ情報を併せて送信することにより、画像形成装置１０２が、当該ユーザ情報で特定されるユーザが管理者であるか一般ユーザであるかを判断する。
【００３５】
サーバ１０１は、上述の説明で画像形成装置１０２が行っていた認証処理を行ったり、画像形成装置１０２が管理していた計測結果データベースを画像形成装置１０２の代わりに管理したりするサーバであるため、本発明の実施形態において、必須の構成ではないが、画像形成装置１０２のハードディスクの容量削減のために用いることが可能である。
【００３６】
次に、図２を用いて、サーバ１０１、クライアント端末１０４に適用可能な情報処理装置としてのコンピュータのハードウェア構成例について、図２のブロック図を用いて説明する。
【００３７】
なお、図２に示した構成は一例であり、後述する各処理を実現可能な構成であれば、如何なる構成を採用しても構わない。
【００３８】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００３９】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００４０】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、表示器はＣＲＴだけでなく、液晶ディスプレイ等の他の表示器であってもよい。これらは必要に応じて管理者が使用するものである。
【００４１】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００４２】
２０８は通信Ｉ／Ｆコントローラで、ネットワーク（例えば、図１に示したネットワーク１１７）を介して外部機器と接続・通信するものであり、ネットワークでの通信制御処理を実行する。例えば、ＴＣＰ／ＩＰを用いた通信等が可能である。
【００４３】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００４４】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００４５】
次に図３を参照して、本発明の実施形態における、画像形成装置１０２のハードウェア構成の一例について説明する。
【００４６】
図３は、本発明の実施形態における、画像形成装置１０２のハードウェア構成の一例を示す図である。
【００４７】
図３において、３１６はコントローラユニットで、画像入力デバイスとして機能するスキャナ３１４や、画像出力デバイスとして機能するプリンタ部３１２と接続する一方、ＬＡＮ（例えば、図１に示したＬＡＮ１５０）や公衆回線（ＷＡＮ／外部ネットワーク）（例えば、ＰＳＴＮまたはＩＳＤＮ等）と接続することで、画像データやデバイス情報の入出力を行う。
【００４８】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００４９】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００５０】
３０７は操作部インタフェース（操作部Ｉ／Ｆ）で、操作部（キーボード）３０８とのインタフェース部である。また、操作部Ｉ／Ｆ３０７は、操作部３０８から入力したキー情報（例えば、スタートボタンの押下）をＣＰＵ３０１に伝える役割をする。
【００５１】
３０５はネットワークインタフェース（Ｎｅｔｗｏｒｋ  Ｉ／Ｆ）で、ネットワーク（ＬＡＮ）１５０に接続する。また、無線通信も可能な構成となっており、赤外線やＢｌｕｅｔｏｏｔｈ（登録商標）、Ｗｉ−Ｆｉ（登録商標）を用いた通信にて他の装置と接続する。データの入出力を行う。３０６はモデム（ＭＯＤＥＭ）で、公衆回線に接続し、ＦＡＸの送受信等のデータの入出力を行う。
【００５２】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となる携帯端末のＩＣカード（記憶媒体）の読み取り用のカードリーダ３１９が外部Ｉ／Ｆ部３１８に接続されている。そして、ＣＰＵ３０１は、この外部Ｉ／Ｆ３１８を介してカードリーダ３１９による携帯端末のＩＣカードからの情報読み取りを制御し、該携帯端末のＩＣカードから読み取られた情報を取得可能である。以上のデバイスがシステムバス３０９上に配置される。
【００５３】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
画像バス３１５は、ＰＣＩバスまたはＩＥＥＥ１３９４で構成される。画像バス３１５上には以下のデバイスが配置される。
【００５４】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ部３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００５５】
３１７は画像処理部で、入力画像データに対し補正、加工、編集を行ったり、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００５６】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００５７】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００５８】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００５９】
尚、表示部はプリンタによって表示性能が異なり、タッチパネルを介して操作をできるプリンタ、単に液晶画面を備え文字列を表示（印刷状態や印刷している文書名の表示）させるだけのプリンタによって本発明は構成されている。
【００６０】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００６１】
カードリーダ３１９は、ＣＰＵ３０１からの制御により、ＩＣカード（ＩＣチップとして携帯端末内に備えられていてもよい）に記憶されている情報を読み取り、該読み取った情報を外部Ｉ／Ｆ３１８を介してＣＰＵ３０１へ通知する。また、カードリーダ３１９はＮＦＣの通信規格に対応しており、ＩＣカードや携帯端末のＩＣチップへの読み書きを行うことが可能な構成となっている。なお、ＮＦＣ規格対応のカードリーダに、ＮＦＣ規格対応の携帯端末をかざすと、認証を行い、携帯端末とプリンタ（複合機）とのペアリングを行う。そして、かざされた携帯端末とプリンタ（複合機）で通信（Ｐ２Ｐ）を確立してデータの通信を行うことが可能である。その他、高速通信規格である、Ｂｌｕｅｔｏｏｔｈ（登録商標）やＷｉ−Ｆｉ（登録商標）に通信を引き継ぎ（ハンドオーバー）、携帯端末とプリンタ（複合機）間で通信を行わせることも可能である。例えば、携帯端末をカードリーダにかざすことで、携帯端末に記憶されている画像をプリンタ（複合機）へ送信することが可能となる。なお、ＮＦＣの通信規格の詳細は、従来技術であるため、説明を省略するものとする。
【００６２】
上述した画像形成装置１０２では、画像形成装置１０２を制御するためのプラットフォームが存在し、このプラットフォーム上で、認証サーバと通信するための認証アプリケーションが動作している。認証アプリケーションはＨＤＤ３０４に記憶されている。プラットフォームが管理する、ログイン時にユーザ情報を格納するログインコンテキストや、各種設定情報は、ＨＤＤ３０４上に領域が確保されている。
【００６３】
また、プラットフォーム上には、画像形成装置１０２の本体機能を拡張したアプリケーションがインストールされ、動作している。これらアプリケーションは、プラットフォームのＡＰＩを用いて実行される。
このプラットフォームを介して、プリンタの各機能を制御することが可能な構成となっている。
【００６４】
また、画像形成装置１０２には、Ｗｅｂブラウザも記憶されており、Ｗｅｂシステムと連携することも可能である。この場合、Ｗｅｂアプリケーションサーバから受信した画面をＷｅｂブラウザを用いて表示する。Ｗｅｂブラウザ上で指示した命令は、Ｗｅｂアプリケーションサーバへ要求がなされ、Ｗｅｂアプリケーションサーバからの命令を受け付けることによって、画像形成装置１０２により動作（スキャンやプリント処理）を実行することが可能である。
【００６５】
以上のような構成によって、画像形成装置１０２は、スキャナ３１４から読み込んだ画像データをＬＡＮ１５０上に送信したり、ＬＡＮ１５０から受信した印刷データをプリンタ部３１２により印刷出力することができる。
【００６６】
また、スキャナ３１４から読み込んだ画像データをモデム３０６により、公衆回線上にＦＡＸ送信したり、公衆回線からＦＡＸ受信した画像データをプリンタ部３１２により出力したりすることできる。以上が図３の、本発明の実施形態における、画像形成装置１０２のハードウェア構成の一例についての説明である。
【００６７】
次に、図１４を用いて、本発明の実施形態における、計測器１０３の機能構成を説明する。
【００６８】
図１４は、本発明の実施形態における、計測器１０３の機能構成の一例を示す図である。
【００６９】
図１４は、計測器１０３の機能構成の一例を示す図である。尚、図１４の機能構成は一例であり、用途や目的に応じて様々な構成例があることは言うまでもない。
【００７０】
計測器１０３は、タイマ部１４０１、計測部１４０２、記憶部１４０３、通信部１４０４、表示部１４０５、操作部１４０６を備える。
タイマ部１４０１は、計測部１４０２による計測に係る時間管理や、日付の管理を行う。
【００７１】
計測部１４０２は、ユーザに関する計測を行う。具体的には、血圧値、体重、体脂肪率、歩数、その他、体温、脈拍、視力、聴力、身長等、計測器の種類に応じた計測を行う。
【００７２】
記憶部１４０３は、計測器１０３のＲＡＭ１０３やフラッシュメモリ１１０等の記憶媒体に計測部１４０２で計測した結果を記憶する。
【００７３】
通信部１４０４は、ＮＦＣ（Ｎｅａｒ  Ｆｉｅｌｄ  Ｃｏｍｍｕｎｉｃａｔｉｏｎ）や、ＵＳＢケーブルを画像形成装置１０２に接続することにより画像形成装置１０２と通信する。その他、高速通信規格である、Ｂｌｕｅｔｏｏｔｈ（登録商標）やＷｉ−Ｆｉ（登録商標）に通信を引き継ぎ（ハンドオーバー）、画像形成装置１０２と通信してもよい。
【００７４】
表示部１４０５は、計測部１４０２で計測した計測結果を計測器１０３のディスプレイに表示する。
【００７５】
操作部１４０６は、計測器１０３に対する操作をユーザから受け付ける。
以上で図１４の説明を終了する。
【００７６】
次に、図４を用いて、画像形成装置１０２における、画像形成装置１０２が計測器１０３から計測結果を取得する処理を含む画像形成装置１０２の一連の処理の流れについて説明する。
【００７７】
図４は、画像形成装置１０２における、画像形成装置１０２が計測器１０３から計測結果を取得する処理を含む画像形成装置１０２の一連の処理の流れを示す図である。
【００７８】
図４の各ステップは、画像形成装置１０２のＣＰＵ３０１によって実行される。尚、図４に示す処理内容や処理順はあくまで一例であり、これに限られない。
なお、ステップＳ４０１の処理を実行するまでは、画像形成装置１０２は、図６に示す画面を当該画像形成装置１０２の表示部に表示しているものとする。
【００７９】
ステップＳ４０１において、画像形成装置１０２は、ＩＣカードまたは、計測器１０３がユーザによってカードリーダ３１９にかざされると、当該ＩＣカードまたは、計測器１０３から、認証情報（ユーザＩＤ等）や、当該認証情報の送信元を示す情報を取得する。ステップＳ４０１は、本発明におけるユーザを識別するための識別情報を記憶した記憶媒体、又は前記ユーザを識別するための識別情報を記憶し前記ユーザを計測する計測器から、前記識別情報を取得する取得手段の一例である。
【００８０】
なお、認証情報の送信元を示す情報は、計測器１０３の場合だけ、認証情報の送信元が計測器である旨の情報を計測器１０３が画像形成装置１０２に送信するようにしてもよいし、ＩＣカードの場合だけ、認証情報の送信元がＩＣカードである旨の情報をＩＣカードが画像形成装置１０２に送信するようにしてもよいし、計測器１０３とＩＣカードのそれぞれが認証情報の送信元が計測器１０３である旨の情報やＩＣカードである旨の情報を、画像形成装置１０２に送信するようにしてもよい。
【００８１】
ステップＳ４０２において、画像形成装置１０２は、ステップＳ４０１で受信した認証情報の送信元をが、ＩＣカードであるか、計測器１０３であるかを判定する。
【００８２】
ステップＳ４０１で受信した認証情報の送信元が、ＩＣカードであれば、ステップＳ４０３に進み、ステップＳ４０１で受信した認証情報の送信元が、計測器１０３であればステップＳ４０４に進む。
【００８３】
ステップＳ４０３において、画像形成装置１０２は、ＩＣカードによる認証処理を行う。ステップＳ４０３の処理の詳細は、図５を用いて説明する。ステップＳ４０３は、本発明における、取得手段で取得した前記識別情報に従って前記ユーザの認証を行う認証手段の一例である。
【００８４】
ステップＳ４０４において、画像形成装置１０２は、計測器１０３から送信された認証情報と、画像形成装置１０２で管理する認証情報とが一致する場合に、当該画像形成装置１０２の使用を許可する。ステップＳ４０４は、本発明における、取得手段で取得した前記識別情報に従って前記ユーザの認証を行う認証手段および、認証手段により前記ユーザが認証された場合に前記画像形成装置の使用を許可する許可手段の一例である。
【００８５】
ステップＳ４０５において、画像形成装置１０２は、ステップＳ４０１でユーザから計測器１０３がカードリーダ３１９にざされた日に、すでに計測結果を計測器１０３から取得済みか否かを画像形成装置１０２のＨＤＤ３０４に記憶される図１２の計測結果データベースを用いて判定する。計測結果を計測器１０３から取得済みであればステップＳ４０８に進み、計測器１０３から取得済みでなければステップＳ４０６に進む。
【００８６】
ここで、ステップＳ４０５の処理の詳細について、図１２を用いて詳しく説明する。
【００８７】
図１２は、画像形成装置のＨＤＤ３０４に記憶される計測結果データベースであり、計測結果データベースでは、計測器１０３から取得した計測器１０３による計測結果をユーザ毎に管理している。
【００８８】
計測結果データベースは、ユーザＩＤ１２０１、ユーザＩＤ１２０１に対応するユーザ名１２０７、計測器ＩＤ１２０２（後述する図１９のカードＩＤと同一）、最終取り込み日時１２０３、計測結果印刷ジョブの印刷日時１２０４、計測結果の閲覧日時１２０５、計測結果１２０６で構成されている。
【００８９】
ユーザＩＤ１２０１は、計測器ＩＤ１２０２の計測器を使用するユーザを識別する情報を示す。最終取り込み日時１２０３は、画像形成装置１０２が、計測器１０３から最後に計測結果を取得した日時が記憶される。
【００９０】
計測結果印刷ジョブの印刷日時１２０４には、計測器１０３から取得した計測結果に基づいてステップＳ４０７で画像形成装置１０２により生成される印刷データを、ユーザが最後に印刷した日時が記憶される。計測結果の閲覧日時１２０５には、計測器１０３から取得した計測結果に基づいてステップＳ４１１で画像形成装置１０２の表示部に表示される画面を、ユーザが最後に表示した日時が記憶される。計測結果１２０６には、画像形成装置１０２が、計測器１０３から取得した計測結果（例えば、図１１のデータテーブルに示す日ごとの歩数や血圧等）が記憶される。
【００９１】
ステップＳ４０５では、画像形成装置１０２は、ステップＳ４０１でユーザから計測器１０３がカードリーダ３１９にかざされた日と、最終取り込み日時１２０３を比較し、最終取り込み日時１２０３が、ステップＳ４０１でユーザから計測器１０３がカードリーダ３１９にかざされた日よりも前であれば、計測器１０３から計測結果を取得済みでないと判断し、最終取り込み日時１２０３が、ステップＳ４０１でユーザから計測器１０３がカードリーダ３１９にかざされた日であれば、計測結果を計測器１０３から取得済みであると判断する。
【００９２】
なお、本実施例では、日ごとに、すでに計測結果を計測器１０３から取得済みか否かを判定するとしたが、計測器１０３から測結果を取得済みか否かの判定をどれくらいの周期で実行するかは、管理者が画像形成装置１０２に設定することが可能であり、例えば、他の実施例として、毎週金曜日に、計測器１０３から計測結果を取得済みか否かを判定するとしても良い。
【００９３】
ステップＳ４０６において、画像形成装置１０２は、計測器１０３から、前回取得した日以降の当該計測器１０３で計測した計測結果を取得し、図１２の計測結果データベースの当該計測器１０３と計測器ＩＤ１２０２が一致する欄の計測結果１２０６に記憶する。また、その際、最終取り込み日時１２０３を、今回計測結果を取り込んだ日時に更新する。
【００９４】
ステップＳ４０６は、本発明における、取得手段で前記計測器から取得した計測結果を登録する登録手段の一例である。
【００９５】
ステップＳ４０６で計測器１０３から取得する計測結果は、例えば、図１１に示す計測結果である。
【００９６】
ここで、図１１に示す計測器の記憶部１４０３に記憶されるデータテーブルについて説明する。
【００９７】
図１１は、計測器１０３の記憶部１４０３に記憶されるデータテーブルの一例を示す図である。
【００９８】
計測日１１０１は、計測器１０３により計測を行った日付を記憶し、日付は、計測器１０３のタイマ部１４０１で計測した時間によって特定される。
【００９９】
計測結果１１０２には、当該計測器１０３で計測した結果を日ごとに記憶する。なお、計測器１０３は、メモリの容量が画像形成装置と比べて小さいことから、当該計測器１０３で記憶する計測結果は、一定期間が経過すると古い計測結果から順に削除する。そのため、画像形成装置１０２に計測結果を保管しておくことで、画像形成装置のメモリの容量は計測器１０３と比べて大きいことから、計測器１０３による計測結果をより多く保管しておくことが可能となる。
以上で図１１の説明を終了し、図４の説明に戻る。
【０１００】
ステップＳ４０７において、画像形成装置１０２は、計測器１０３による計測結果の推移を示すグラフの印刷データ（例えば、後述する図９）、および、当該印刷データの印刷ジョブを生成し、ステップＳ４０１で計測器１０３から取得した認証情報（ユーザＩＤ）と紐付けて画像形成装置１０２のＨＤＤ３０４に記憶する。ステップＳ４０７は、本発明における、登録手段で登録された計測結果を出力する出力手段の一例である。
【０１０１】
なお、本実施例では、ステップＳ４０７において画像形成装置１０２は、計測器１０３による計測結果の推移を示すグラフの印刷データを生成するとしたが、他の実施例として、画像形成装置１０２は、特許文献１（特開２０１３−２１８５６１号公報）に記載の社員食堂サーバ４００のように、ユーザに関する健康データを提供する健康データ提供機器と連携し、ユーザが食堂で食事した際に摂取したカロリーや塩分、糖分等と、計測器１０３で計測した計測結果とを考慮することにより、次回以降食事する際のお勧めメニューの印刷ジョブを生成したり、健康促進のためのアドバイス（例えば、ユーザの健康維持のためには何歩いたほうが良いといった情報等）が記載された印刷データを生成したりしても良い。
【０１０２】
また、本実施例では、日ごとに、すでに計測結果を計測器１０３から取得済みか否かを判定し、計測結果を取得済みでなければステップＳ４０７で印刷ジョブを生成するとしたが、ステップＳ４０７における印刷ジョブの生成をどれくらいの周期で実行するかは、管理者が画像形成装置１０２に設定することが可能であり、例えば、他の実施例として、毎週金曜日に、１週間分の計測器１０３による計測結果をグラフにして出力しても良い。
【０１０３】
ステップＳ４０７において、計測器１０３による計測結果の推移を示すグラフの印刷データの印刷ジョブをユーザから指示を受け付けることなく画像形成装置１０２が作成することにより、ユーザが他の印刷ジョブを実行する際に、併せて当該グラフの印刷データの印刷ジョブを実行させ、ユーザに自身の健康状態を確認させることが可能となる。
【０１０４】
ステップＳ４０８において、画像形成装置１０２は、ＴＯＰ画面を当該画像形成装置１０２の表示部に表示する。ステップＳ４０８において画像形成装置１０２の表示部に表示されるＴＯＰ画面は、例えば、図７や図８に示すＴＯＰ画面である。
【０１０５】
画像形成装置１０２は、ステップＳ４０８において、ＩＣカードが画像形成装置１０２にかざされることによって認証処理が行われた場合には、図７の画面を表示部に表示し、計測器１０３が画像形成装置１０２にかざされることによって認証処理が行われた場合には、図８の画面を表示部に表示する。図７と、図８の画面の違いは、計測結果ボタン７０４があるかないかである（図７には計測結果ボタン７０４がない）。
ここで、ステップＳ４０８で画像形成装置１０２の表示部に表示される画面について、図７、図８を用いて説明する。
【０１０６】
図７は、ステップＳ４０８において画像形成装置１０２の表示部に表示されるＴＯＰ画面の一例を示す図であり、ＩＣカードが画像形成装置１０２にかざされることによって認証処理が行われた場合に、画像形成装置１０２の表示部に表示されるＴＯＰ画面である。
【０１０７】
コピーボタン７０１に対してユーザによるタッチ操作を受け付けると、ユーザが画像形成装置１０２の原稿用紙台にセットした紙を画像形成装置１０２がコピーする。
【０１０８】
プリントボタン７０２に対してユーザによるタッチ操作を受け付けると、ユーザごとの印刷ジョブを画像形成装置１０２が実行する。
【０１０９】
ファックスボタン７０３に対してユーザによるタッチ操作を受け付けると、ユーザが画像形成装置１０２の原稿用紙台にセットした紙を画像形成装置１０２がスキャンし、ユーザが指定した宛先にファックス送信する。
以上で、図７の説明を終了する。次に、図８について説明する。
【０１１０】
図８は、ステップＳ４０８において画像形成装置１０２の表示部に表示されるＴＯＰ画面の一例を示す図であり、計測器１０３が画像形成装置１０２にかざされることによって認証処理が行われた場合に、画像形成装置１０２の表示部に表示されるＴＯＰ画面である。
【０１１１】
図８のＴＯＰ画面に表示される７０１〜７０３のボタンは、図７のコピーボタン７０１、プリントボタン７０２、ファックスボタン７０３と同じものであるため、説明は省略する。
【０１１２】
計測結果ボタン８０１に対してユーザによるタッチ操作を受け付けると、図４のステップＳ４０６で計測器１０３から画像形成装置１０２が取得し、画像形成装置１０２が管理する当該画像形成装置１０２にログインしたユーザの計測結果の遷移を示すグラフ（後述する図９の計測結果画面）の画面を表示する。
以上で、図８の説明を終了し、図４の説明に戻る。
【０１１３】
ステップＳ４０９において、画像形成装置１０２は、ステップＳ４０８で画像形成装置１０２の表示部に表示した画面を介してユーザから操作を受け付ける。
【０１１４】
ステップＳ４１０において、画像形成装置１０２は、ステップＳ４０９でユーザから受け付けた操作が、計測結果の表示指示か否かを判定する。ユーザから受け付けた操作が計測結果の表示指示であれば、画像形成装置１０２は、ステップＳ４１１の処理に移行し、ユーザから受け付けた操作が計測結果の表示指示でなければ、画像形成装置１０２は、ステップＳ４１５の処理に移行する。
【０１１５】
ステップＳ４１０における計測結果の表示指示とは、例えば、ステップＳ４０８において画像形成装置１０２の表示部に表示される図８のＴＯＰ画面中の、計測結果ボタン８０１に対してユーザによるタッチ操作を受け付けることである。
【０１１６】
ステップＳ４１１において、画像形成装置１０２は、図４のステップＳ４０６で計測器１０３から画像形成装置１０２が取得し、画像形成装置１０２が管理する当該画像形成装置１０２にログインしたユーザの計測結果の遷移を示すグラフ（後述する図９の計測結果画面）の画面を当該画像形成装置１０２の表示部に表示する。
【０１１７】
また、その際、ステップＳ４０１で計測器１０３から取得した認証情報（ユーザＩＤ）とユーザＩＤ１２０１が一致する欄の計測結果の閲覧日時１２０５を、今回ユーザが計測結果の遷移を示すグラフを表示した日時に更新する。
【０１１８】
ここで、ステップＳ４１１において画像形成装置１０２の表示部に表示される計測結果画面について、図９を用いて説明する。
【０１１９】
図９は、ステップＳ４１１において画像形成装置１０２の表示部に表示される計測結果画面の一例を示す図である。また、ステップＳ４０７において画像形成装置１０２が生成する計測器１０３による計測結果の推移を示すグラフの印刷データも図９と同様のものである。
【０１２０】
図９に示すように、計測器１０３による計測結果の推移を棒グラフで示すことにより、ユーザに、自身の運動量を視覚的に分かりやすく示している。
【０１２１】
なお、他の実施例として、図９の画面以外にも、食事のお勧めメニューの画面を表示したり、健康促進のためのアドバイスが記載された画面を表示したりしても良い。その場合、各画面を切り換え可能とするためのタブを備えることにより、タブに対してユーザによるタッチ操作を受け付けると、画面を切り換え可能とすることが望ましい。
【０１２２】
印刷ボタン９０１がユーザにより押下されると、図９の計測結果画面の印刷データ、および印刷ジョブを生成し、ステップＳ４０１で計測器１０３から取得した認証情報（ユーザＩＤ）と紐付けて画像形成装置１０２のＨＤＤ３０４に記憶する。
【０１２３】
終了ボタン９０２がユーザにより押下されると、図９の画面を閉じる。
【０１２４】
ステップＳ４１１−２において、画像形成装置１０２は、ステップＳ４１１で画像形成装置の表示部に表示した画面を介して、ユーザから操作を受け付ける。
【０１２５】
ステップＳ４１２において、画像形成装置１０２は、ステップＳ４１１−２でユーザから受け付けた操作が、計測結果の印刷指示か否かを判定する。ユーザから受け付けた操作が計測結果の印刷指示であれば、画像形成装置１０２は、ステップＳ４１６の処理に移行し、ユーザから受け付けた操作が計測結果の印刷指示でなければ（例えば、終了ボタン９０２がユーザにより押下される操作であれば）、計測結果の表示を終了し、ステップＳ４１３の処理に移行する。
【０１２６】
ステップＳ４１２における計測結果の印刷指示とは、例えば、ステップＳ４１１において画像形成装置１０２の表示部に表示される図９の画面中の、印刷ボタン９０１に対してユーザによるタッチ操作を受け付けることである。
【０１２７】
ステップＳ４１３において、画像形成装置１０２は、当該画像形成装置１０２のＨＤＤ３０４に、ステップＳ４０７で生成した計測器１０３による計測結果の推移を示すグラフの印刷データの印刷ジョブであって、ステップＳ４０１で計測器１０３から取得した認証情報（ユーザＩＤ）と認証情報が一致する印刷ジョブがあるか否かを判定する。
【０１２８】
画像形成装置１０２のＨＤＤ３０４に、ステップＳ４０７で生成した計測器１０３による計測結果の推移を示すグラフの印刷データの印刷ジョブであって、ステップＳ４０１で計測器１０３から取得した認証情報（ユーザＩＤ）と認証情報が一致する印刷ジョブがある場合には、画像形成装置１０２は、ステップＳ４１４の処理に移行し、画像形成装置１０２のＨＤＤ３０４に、ステップＳ４０７で生成した計測器１０３による計測結果の推移を示すグラフの印刷データの印刷ジョブであって、ステップＳ４０１で計測器１０３から取得した認証情報（ユーザＩＤ）と認証情報が一致する印刷ジョブがなければ、画像形成装置１０２は、ステップＳ４０９の処理に移行する。
【０１２９】
ステップＳ４１４において、画像形成装置１０２は、画像形成装置１０２のＨＤＤ３０４に記憶された、ステップＳ４０７で生成した計測器１０３による計測結果の推移を示すグラフの印刷データの印刷ジョブであって、ステップＳ４０１で計測器１０３から取得した認証情報（ユーザＩＤ）と認証情報が一致する印刷ジョブを削除する。
【０１３０】
ステップＳ４１４の処理に示すとおり、ステップＳ４１１で画像形成装置１０２が管理する当該画像形成装置１０２にログインしたユーザの計測結果の遷移を示すグラフ（図９の計測結果画面）の画面を当該画像形成装置１０２の表示部に表示した場合には印刷ジョブを削除することにより、一旦、計測器１０３による計測結果をユーザが確認したにも関わらず、再度計測結果の推移を示すグラフの印刷データを印刷させてユーザに確認させるというユーザの煩わしさを軽減させることができる。
【０１３１】
ステップＳ４１５において、画像形成装置１０２は、ステップＳ４０９でユーザから受け付けた操作が、ステップＳ４０７で生成した計測器１０３による計測結果の推移を示すグラフの印刷データの印刷ジョブの実行指示を受け付けたか否かを判定する。ステップＳ４０７で生成した計測器１０３による計測結果の推移を示すグラフの印刷データの印刷ジョブの実行指示を受け付けたならば、画像形成装置１０２は、ステップＳ４１６において、印刷ジョブを実行し、ステップＳ４０７で生成した計測器１０３による計測結果の推移を示すグラフの印刷データの印刷ジョブの実行指示を受け付けなければ、画像形成装置１０２は、ステップＳ４１７の処理に移行する。
【０１３２】
ステップＳ４１７において、画像形成装置１０２は、ステップＳ４０９でユーザから受け付けた操作が、ログアウト指示か否かを判定する。ユーザから受け付けた操作がログアウト指示であれば、画像形成装置１０２は、当該画像形成装置１０２にログインしているユーザのログアウト処理を行った上で、本処理を終了し、ユーザから受け付けた操作がログアウト指示でなければ、画像形成装置１０２は、ステップＳ４１８の処理に移行する。
【０１３３】
ステップＳ４１８において、画像形成装置１０２は、ユーザ操作に従ったその他の処理（例えば、画像形成装置１０２の本体設定の変更処理や、用紙の補充処理、プリント、スキャン、コピー、ＦＡＸ等）を実行し、ステップＳ４０９の処理に移行する。なお、プリントを行う操作である場合には、ユーザごとの印刷ジョブ一覧を画像形成装置１０２の表示部に表示することになるが、その際、ステップＳ４０７で印刷ジョブが生成され、ステップＳ４１４で削除されていない場合には、印刷ジョブ一覧にステップＳ４０７で生成した印刷ジョブも表示されるため、ユーザにステップＳ４０７で生成した印刷ジョブの印刷を促すことが出来る。
以上で、図４の説明を終了する。
【０１３４】
なお、本実施例では、ステップＳ４０５〜ステップＳ４０７、ステップＳ４１３の処理を画像形成装置１０２が実行するとしたが、他の実施例として、これらの処理の一部、または全部を当該画像形成装置１０２とネットワークを介して接続されるサーバ１０１が実行しても良い。その場合、図１２の計測結果データベースは、サーバ１０１の外部メモリに記憶されることになる。
【０１３５】
次に、図５を用いて、図４のステップＳ４０３の処理について詳細に説明する。
【０１３６】
図５は、図４のステップＳ４０３の処理の詳細を示すフローチャートである。
【０１３７】
図５の各ステップは、画像形成装置１０２のＣＰＵ３０１によって実行される。尚、図５に示す処理内容や処理順はあくまで一例であり、これに限られない。
【０１３８】
ステップＳ５０１において、画像形成装置１０２は、ステップＳ４０１でユーザからＩＣカードがカードリーダ３１９にかざされた日に、すでに計測結果を計測器１０３から取得済みか否かを画像形成装置１０２のＨＤＤ３０４に記憶される図１２の計測結果データベースを用いて判定する。計測結果を計測器１０３から取得済みであればステップＳ４０８に進み、計測器１０３から取得済みでなければステップＳ５０２に進む。
【０１３９】
具体的には、画像形成装置１０２は、当該画像形成装置１０２のＨＤＤ３０４で記憶する図１２の計測結果データベースの最終取り込み日時１２０３と、ステップＳ４０１でユーザからＩＣカードがカードリーダ３１９にかざされた日とを比較し、最終取り込み日時１２０３が、ステップＳ４０１でユーザからＩＣカードがカードリーダ３１９にかざされた日よりも前であれば、計測器１０３から計測結果を取得済みでないと判断し、最終取り込み日時１２０３が、ステップＳ４０１でユーザからＩＣカードがカードリーダ３１９にかざされた日であれば、計測結果を計測器１０３から取得済みであると判断する。
【０１４０】
なお、本実施例では、ステップＳ５０１で、図１２の計測結果データベースの最終取り込み日時１２０３と、ステップＳ４０１でユーザからＩＣカードがカードリーダ３１９にかざされた日とを比較したが、他の実施例として、時間単位で比較するように管理者が画像形成装置１０２に設定しても良い。
【０１４１】
例えば、１３時をステップＳ５０１の比較の基準として管理者が設定した場合、最終取り込み日時１２０３が、ステップＳ４０１でユーザからＩＣカードがカードリーダ３１９にかざされた日よりも前であっても、ステップＳ４０１でユーザからＩＣカードがカードリーダ３１９にかざされた時間が午前１０時であればステップＳ４０８に処理を移行し、ＩＣカードがカードリーダ３１９にかざされた時間が１４時であればステップＳ５０２に処理を移行することになる。
【０１４２】
また、他の実施例として、前回計測器１０３から当該計測器１０３による計測結果を取得してから、所定時間が経過した場合に、ステップＳ５０１で計測器１０３による計測結果を取得していないと判断しても良い。
【０１４３】
ステップＳ５０２において、画像形成装置１０２は、計測器１０３がカードリーダ３１９にかざされていない旨の注意喚起画面（例えば、図１０）を当該画像形成装置１０２の表示部に表示する。
【０１４４】
ここで、ステップＳ５０２において画像形成装置１０２の表示部に表示される注意喚起画面について説明する。
【０１４５】
図１０は、本発明において、図５のステップＳ５０２で画像形成装置１０２の表示部に表示される画面の一例を示す図である。
【０１４６】
図１０の１００１には、計測器１０３がカードリーダ３１９にかざされていない旨をユーザに伝え、かつ、計測器１０３をかざすようにユーザに促すメッセージが表示される。
【０１４７】
ユーザがＩＣカードを用いて画像形成装置１０２にログインした日に、ユーザが計測器１０３による計測結果を画像形成装置１０２に取り込ませていない場合に、図１０の１００１のようなメッセージを画像形成装置１０２の表示部に表示することにより、ユーザに計測器１０３による計測結果を画像形成装置１０２に取り込ませるように促すことができる。
【０１４８】
ステップＳ５０３において、画像形成装置１０２は、ステップＳ５０２で画像形成装置１０２の表示部に表示した画面を介してユーザから操作を受け付けるか、もしくはＩＣカードまたは、計測器１０３がユーザによってかざされることにより、当該ＩＣカードまたは、計測器１０３から認証情報（ユーザＩＤ等）や、当該認証情報の送信元を示す情報を取得する。
【０１４９】
ステップＳ５０４において、画像形成装置１０２は、ステップＳ５０３で計測器１０３がユーザによってかざされることにより、計測器１０３から認証情報（ユーザＩＤ等）を取得したか否かを判定する。ステップＳ５０３で計測器１０３がユーザによってかざされることにより、計測器１０３から認証情報（ユーザＩＤ等）を取得したならば、画像形成装置１０２は、ステップＳ５０５に処理を移行し、ステップＳ５０３で計測器１０３がユーザによってかざされることにより、計測器１０３から認証情報（ユーザＩＤ等）を取得したのでなければ、画像形成装置１０２は、ステップＳ５０７に処理を移行する。
【０１５０】
なお、本実施例では、ステップＳ５０４において、ステップＳ５０３で計測器１０３がユーザによってかざされることにより、計測器１０３から認証情報（ユーザＩＤ等）を取得したのでなければ、画像形成装置１０２は、ステップＳ５０５に処理を移行するとしたが、他の実施例として、ステップＳ５０３において、計測器１０３がユーザによってかざされない場合、計測器１０３がユーザによってかざされるまで画像形成装置１０２に対するユーザ操作を受け付けないとしても良い。
【０１５１】
ステップＳ５０５において、画像形成装置１０２は、計測器１０３から取得した認証情報が、図４のステップ４０１で取得した認証情報と同一か（同一のユーザによる認証要求か）を判定する。
【０１５２】
ステップＳ５０５において、計測器１０３から取得した認証情報が、図４のステップ４０１で取得した認証情報と同一でないと画像形成装置１０２が判定した場合、画像形成装置１０２は、ステップＳ５０６に処理を移行し、ユーザのログアウト処理を実行した後、ステップＳ４０４の処理に移行する。
【０１５３】
ステップＳ５０５において、計測器１０３から取得した認証情報が、図４のステップ４０１で取得した認証情報と同一であると画像形成装置１０２が判定した場合、画像形成装置１０２は、すでにユーザ認証はできているため、ユーザのログアウト処理を実行することなく、ステップＳ４０６の処理に移行する。
【０１５４】
ステップＳ５０７において、画像形成装置１０２は、画像形成装置１０２は、ステップＳ５０３でＩＣカードがユーザによってかざされることにより、ＩＣカードから認証情報（ユーザＩＤ等）を取得したか否かを判定する。ステップＳ５０３でＩＣカードがユーザによってかざされることにより、ＩＣカードから認証情報（ユーザＩＤ等）を取得したならば、画像形成装置１０２は、ステップＳ５０８に処理を移行し、ステップＳ５０３で計測器１０３がユーザによってかざされることにより、計測器１０３から認証情報（ユーザＩＤ等）を取得したのでなければ、画像形成装置１０２は、ステップＳ５０９に処理を移行する。
【０１５５】
ステップＳ５０３で計測器１０３がユーザによってかざされることにより、計測器１０３から認証情報（ユーザＩＤ等）を取得したのでない場合とは、画像形成装置１０２の表示部に表示されたコピーボタン７０１やプリントボタン７０２や、ファックスボタン７０３等が押下された場合や、ユーザからログアウト指示を受け付けた場合である。
ステップＳ５０８において、画像形成装置１０２は、一旦ユーザのログアウト処理を実行した後、ステップＳ５０１に処理を戻す。
【０１５６】
ステップＳ５０９において、画像形成装置１０２は、ユーザ毎に予め設定され、画像形成装置のＨＤＤ３０４に記憶された管理者（課長や部長といったユーザの上長等）のクライアント端末１０４（例えば、パソコンや携帯電話等）に図１３に示すメールを送信する。
【０１５７】
ステップＳ５０９において、画像形成装置１０２は、管理者のクライアント端末１０４に図１３に示すメールを送信することにより、管理者から計測器１０３をかざしていないユーザに対して、計測器をかざすように働きかけが行われることが期待できるため、よりユーザが計測器１０３をかざすようになるという効果を得られる可能性がある。
【０１５８】
ここで、ステップＳ５０９で画像形成装置１０２から管理者のクライアント端末１０４に送信されるメールについて図１３を用いて説明する。
【０１５９】
図１３は、ステップＳ５０９において、画像形成装置１０２から管理者のクライアント端末１０４に送信されるメールの一例を示す図である。
【０１６０】
本文１３０１には、ステップＳ５０１において、計測器１０３から計測結果を取得していないと判定されたユーザのユーザ名、および当該ユーザに計測器をかざすように働きかけることを管理者に促す内容のメッセージが表示される。
以上で図１３の説明を終了する。
【０１６１】
なお、本実施例では、図５のステップＳ５０１およびステップＳ５０９の処理を画像形成装置１０２が実行するとしたが、他の実施例として、これらの処理の一部、または全部を当該画像形成装置１０２とネットワークを介して接続されるサーバ１０１が実行しても良い。その場合、図１２の計測結果データベースは、サーバ１０１の外部メモリに記憶されることになる。
図５の説明に戻る。
【０１６２】
ステップＳ５１０において、画像形成装置１０２は、表示部に表示されたユーザからログアウト指示を受け付けたかを判定する。ステップＳ５１０で、ユーザからログアウト指示を受け付けたと画像形成装置１０２が判定したならば、画像形成装置１０２は、画像形成装置１０２にログインしているユーザのログアウト処理を実行し、本処理を終了する。
【０１６３】
ステップＳ５１０で、ユーザからログアウト指示を受け付けたと画像形成装置１０２が判定したならば、画像形成装置１０２は、ステップＳ５１１において、ユーザ操作に応じた処理（プリントやファックスやコピー等）を実行し、ステップＳ５０３の処理に戻る。
以上で図５の説明を終了する。
【０１６４】
次に、図１５〜図１７を用いて、画像形成装置１０２における、画像形成装置１０２が計測器１０３から計測結果を取得する処理を含む画像形成装置１０２の一連の処理の流れの他の実施形態について説明する。
【０１６５】
図１５〜図１７は、画像形成装置１０２における、画像形成装置１０２が計測器１０３から計測結果を取得する処理を含む画像形成装置１０２の一連の処理の流れを示す図である。
【０１６６】
図１５〜図１７の各ステップは、画像形成装置１０２のＣＰＵ３０１によって実行される。尚、図１５〜図１７に示す処理内容や処理順はあくまで一例であり、これに限られない。
【０１６７】
図４、５に示す処理と異なる点は、主に２つである。１つ目は、図４、５では、ＩＣカードをかざしたときに、計測器１０３を所定期間かざしていなければ警告表示するとしたが、図１５〜図１７の実施形態では、ＩＣカードをかざしたときに、計測器１０３を所定期間かざしていなければ、ＩＣカードでログインした後の図７のＴＯＰ画面においてコピーボタン７０１、プリントボタン７０２、ファックスボタン７０３のいずれかに対するユーザのタッチ操作を受け付け後に遷移する、それぞれの画面において、警告表示する点である。２つ目は、図１５〜図１７の実施形態では、計測器１０３からのデータ取得途中に計測器１０３がはずされた場合に、エラー表示する点である。
【０１６８】
なお、図４または図５と同じ処理については、該当する図４または図５のステップ番号を示し、詳細な説明は省略する。
【０１６９】
まず、図１５から説明する。
ステップＳ１５０１は、図４のステップＳ４０１と同様の処理であり、ステップＳ１５０２は、図４のステップＳ４０２と同様の処理であるため、詳細な説明は省略する。
【０１７０】
ステップＳ１５０３において、画像形成装置１０２は、ＩＣカードによる認証処理を行う。
【０１７１】
ステップＳ１５０４は、画像形成装置１０２は、図４のステップＳ４０４と同様の処理であり、ステップＳ１５０５は、図４のステップＳ４０５と同様の処理であるため、詳細な説明は省略する。
【０１７２】
ステップＳ１５０６において、画像形成装置１０２は、計測器１０３から、前回取得した日以降の当該計測器１０３で計測した計測結果を取得する処理を実行する。ステップＳ１５０６の処理の詳細は、図１７を用いて後ほど説明する。
【０１７３】
ステップＳ１５０７は、図４のステップＳ４０８と同様の処理であり、ステップＳ１５０８は、図４のステップＳ４０９と同様の処理であるため、詳細な説明は省略する。
【０１７４】
ステップＳ１５０９において、画像形成装置１０２は、ステップＳ１５０８でユーザから受け付けた操作が、ログアウト指示か否かを判定する。ユーザから受け付けた操作がログアウト指示であれば、画像形成装置１０２は、当該画像形成装置１０２にログインしているユーザのログアウト処理を行った上で、本処理を終了し、ユーザから受け付けた操作がログアウト指示でなければ、画像形成装置１０２は、ステップＳ１５１０の処理に移行する。
【０１７５】
ステップＳ１５０９において、画像形成装置１０２が、ステップＳ１５０８でユーザから受け付けた操作が、ログアウト指示でないと判定する場合とは、例えば、図７のＴＯＰ画面においてコピーボタン７０１、プリントボタン７０２、ファックスボタン７０３のいずれかに対するユーザのタッチ操作を受け付ける場合である。
【０１７６】
ステップＳ１５１０において、画像形成装置１０２は、ステップＳ１５０２でＩＣカードによる認証処理と判定され、かつステップＳ１５０１でユーザからＩＣカードがカードリーダ３１９にかざされた日に、すでに計測結果を計測器１０３から取得済みか否かを画像形成装置１０２のＨＤＤ３０４に記憶される図１２の計測結果データベースを用いて判定する。
【０１７７】
ＩＣカードによる認証処理、かつ計測器１０３からの計測結果を未取得であれば、画像形成装置１０２は、図１６のステップＳ１６０１に処理を移行し、ＩＣカードによる認証処理、かつ計測器１０３からの計測結果を取得済み、または計測器１０３による認証であれば、ステップＳ１５１１に処理を移行する。
【０１７８】
ステップＳ１５１１は、図４のステップＳ４１０と同様の処理であり、ステップＳ１５１２は、図４のステップＳ４１１と同様の処理であり、ステップＳ１５１３は、図４のステップＳ４１１−２と同様の処理であり、ステップＳ１５１４は、図４のステップＳ４１２と同様の処理であり、ステップＳ１５１５は、図４のステップＳ４１３と同様の処理であり、ステップＳ１５１６は、図４のステップＳ４１４と同様の処理であり、ステップＳ１５１７は、図４のステップＳ４１５と同様の処理であり、ステップＳ１５１８は、図４のステップＳ４１６と同様の処理であり、ステップＳ１５１９は、図４のステップＳ４１８と同様の処理であるため、詳細な説明は省略する。
【０１７９】
ステップＳ１５１９において、画像形成装置１０２は、ユーザ操作に従ったその他の処理（例えば、画像形成装置１０２の本体設定の変更処理等）を実行し、ステップＳ１５０８の処理に移行する。
以上で、図１５の説明を終了する。
【０１８０】
次に図１６について説明するが、図１６に示す各ステップは、図５の各ステップと同様の処理であるため、詳細な説明は省略する。
【０１８１】
具体的には、ステップＳ１６０１は、ステップＳ５０２と同様の処理であり、ステップＳ１６０２は、ステップＳ５０３と同様の処理であり、ステップＳ１６０３は、ステップＳ５０４と同様の処理であり、ステップＳ１６０４は、ステップＳ５０５と同様の処理であり、ステップＳ１６０５は、ステップＳ５０６と同様の処理であり、ステップＳ１６０６は、ステップＳ５０７と同様の処理であり、ステップＳ１６０７は、ステップＳ５０８と同様の処理であり、ステップＳ１６０８は、ステップＳ５０９と同様の処理であり、ステップＳ１６０９は、ステップＳ５１０と同様の処理であり、ステップＳ１６１０は、ステップＳ５１１と同様の処理である。
【０１８２】
図１６のステップＳ１６０１で、画像形成装置１０２の表示部に表示される注意喚起画面は、例えば、図１８に示す画面である。
【０１８３】
図１８は、本発明において、図１６のステップＳ１６０１で画像形成装置１０２の表示部に表示される画面の一例を示す図であり、図７のプリントボタン７０２がユーザによるタッチ操作により押下されたときに、当該ユーザの印刷ジョブ一覧画面（図１８の１８０２）の上部に、注意喚起を表示する図である。
【０１８４】
図１８の１８０２には、計測器１０３がカードリーダ３１９にかざされていない旨をユーザに伝え、かつ、計測器１０３をかざすようにユーザに促すメッセージが表示される。
【０１８５】
ユーザがＩＣカードを用いて画像形成装置１０２にログインした日に、ユーザが計測器１０３による計測結果を画像形成装置１０２に取り込ませていない場合に、図１８の１８０２のようなメッセージを画像形成装置１０２の表示部に表示することにより、ユーザに計測器１０３による計測結果を画像形成装置１０２に取り込ませるように促すことができる。以上で、図１８の説明を終了する。
【０１８６】
次に、図１７を用いて、図１５の計測器１０３で計測した計測結果を取得する処理の詳細について説明する。
【０１８７】
ステップＳ１７０１において、画像形成装置１０２は、計測器１０３から、前回取得した日以降の当該計測器１０３で計測した計測結果を取得する。
【０１８８】
ステップＳ１７０２において、画像形成装置１０２は、計測器１０３からのデータ取得が完了したか否かを判定する。計測器１０３からのデータ取得の完了したことは、計測器１０３から当該計測器１０３によるすべての計測結果を画像形成装置１０２に送信した旨の情報を送ることによって決定しても良いし、計測器１０３がカードリーダ３１９にかざされている状態で、計測結果の送信が止まってから所定時間経過することによって決定してもよい。
【０１８９】
ステップＳ１７０２において、計測器１０３からのデータ取得が完了したと判定すると、画像形成装置１０２は、ステップＳ１７０３に処理を移行し、計測器１０３からのデータ取得が完了していないと判定すると、ステップＳ１７０５に処理を移行する。
【０１９０】
ステップＳ１７０３において、画像形成装置１０２は、ステップＳ１７０１において計測器１０３から取得した計測結果を、図１２の計測結果データベースの当該計測器１０３と計測器ＩＤ１２０２が一致する欄の計測結果１２０６に記憶する。また、その際、最終取り込み日時１２０３を、今回計測結果を取り込んだ日時に更新する。
【０１９１】
ステップＳ１７０４において、画像形成装置１０２は、計測器１０３による計測結果の推移を示すグラフの印刷データ（例えば図９）、および、当該印刷データの印刷ジョブを生成し、ステップＳ４０１で計測器１０３から取得した認証情報（ユーザＩＤ）と紐付けて画像形成装置１０２のＨＤＤ３０４に記憶する。
【０１９２】
ステップＳ１７０５において、画像形成装置１０２は、カードリーダ３１９にかざされていた計測器１０３がはずされたかを、当該計測器１０３との通信が切れたかによって判定する。
【０１９３】
画像形成装置１０２は、ステップＳ１７０５において、カードリーダ３１９にかざされていた計測器１０３がはずされたと判定した場合に、ステップＳ１７０６に処理を移行し、カードリーダ３１９にかざされていた計測器１０３がはずされていないと判定した場合に、ステップＳ１７０１に処理を戻す。
【０１９４】
ステップＳ１７０６において、画像形成装置１０２は、計測器１０３からの計測結果の取得途中に計測結果の取得に係るエラーが発生した旨の注意喚起を、画像形成装置１０２の表示部に表示する。これにより、ユーザに再度計測器１０３の計測結果を画像形成装置１０２に取り込むように促すことが可能となる。
以上で、図１７の説明を終了する。
【０１９５】
次に、図１９を用いて、図４のステップＳ４０２〜ステップＳ４０４、図１５のステップＳ１５０２〜ステップＳ１５０４の処理をサーバ１０１、または画像形成装置１０２と通信可能な認証サーバが実行する場合における、当該サーバ１０１、または認証サーバの外部メモリ２１１で管理する認証テーブルについて説明する。
【０１９６】
なお、図４のステップＳ４０２、および図１５のステップＳ１５０２は、画像形成装置１０２が実行するとしても良い。
【０１９７】
図１９は、本実施形態における認証テーブルの一例を示す図である。
【０１９８】
図１９（ａ）に示すように、本実施例の認証テーブルは、ユーザ名、カードＩＤ等の情報から構成されており、１のユーザ名に複数のカードＩＤ（本実施例ではＩＣカード用のカードＩＤと計測器１０３用のカードＩＤ）が紐付けられて保存されている。
【０１９９】
例えば、ユーザ名「ｕｓｅｒＡ」にはＩＣカード用のカードＩＤ「０１１１１１１１１１ＡＢＣＤＥＦ」と、計測器１０３用のカードＩＤ「２２２２２２２２２ＡＢＣＤＥＦ」が対応付けられている。また、ユーザ名「ｕｓｅｒＢ」にはＩＣカード用のカードＩＤ「０１１１１１１１１１ＺＹＸＷＶＵ」と、計測器１０３用のカードＩＤ「２２２２２２２２２ＺＹＸＷＶＵ」が対応付けられている。本実施例では、計測器１０３用のカードＩＤは、上位３ケタが「２２２」のカードＩＤが割り当てられているものとする。
【０２００】
なお、図１９（ａ）における計測器のカードＩＤは、図１２における計測器ＩＤ１２０２と同一のＩＤを示す。
【０２０１】
図１９（ａ）に示す認証テーブルを用いる場合、図４のステップＳ４０２、および図１５のステップＳ１５０２では、サーバ１０１、または認証サーバは、カードリーダ３１９にかざされていた計測器１０３のカードＩＤを参照し、カード検知時にかざされたカードが計測器１０３であるか否かを確認する。ここでは、カードＩＤに計測器１０３を示す識別子（本実施例では上位３ケタが「２２２」）があるか否かで判定する。
【０２０２】
なお、他の実施形態として、認証テーブルは、図１９（ｂ）に示すように、１のユーザ名に紐付く複数のカードＩＤを、ＩＣカード用のカードＩＤと計測器１０３用のカードＩＤで予め分けて記憶しても良い。
【０２０３】
図１９（ｂ）に示す認証テーブルを用いる場合、図４のステップＳ４０２、および図１５のステップＳ１５０２では、サーバ１０１、または認証サーバは、カードリーダ３１９で検知したカードのカードＩＤが、図１９（ｂ）の「カードＩＤ（ＩＣカード）」に記憶されているか、図１９（ｂ）の「カードＩＤ（計測器）」に記憶されているかで、計測器１０３であるか否かを確認する。
【０２０４】
以上で、図１９の説明を終了する。
【０２０５】
以上、本発明によると、情報処理装置へのユーザ認証に用いられた情報取得対象物が計測器である場合に、計測器から計測結果を取得することができる。
【０２０６】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０２０７】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０２０８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０２０９】
その場合、プログラムの機能を有していれば、オブジェクトコード、インタプリタにより実行されるプログラム、ＯＳに供給するスクリプトデータ等の形態であってもよい。
【０２１０】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０２１１】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０２１２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０２１３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０２１４】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０２１５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０２１６】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０２１７】
１０１  サーバ
１０２  画像形成装置
１０３  計測器
１０４  クライアント端末
【図１】
2020009477.tif 000003
【図２】
2020009477.tif 000004
【図３】
2020009477.tif 000005
【図４】
2020009477.tif 000006
【図５】
2020009477.tif 000007
【図６】
2020009477.tif 000008
【図７】
2020009477.tif 000009
【図８】
2020009477.tif 000010
【図９】
2020009477.tif 000011
【図１０】
2020009477.tif 000012
【図１１】
2020009477.tif 000013
【図１２】
2020009477.tif 000014
【図１３】
2020009477.tif 000015
【図１４】
2020009477.tif 000016
【図１５】
2020009477.tif 000017
【図１６】
2020009477.tif 000018
【図１７】
2020009477.tif 000019
【図１８】
2020009477.tif 000020
【図１９】
2020009477.tif 000021